(57)【要約】【課題】隨意に接着可能な電熱装置の提供。【解決手段】隨意に接着可能な電熱装置は、電熱ベルト10及びコントローラー20を備え、電熱ベルト10とコントローラー20との間は導線30により電気的に連接し、コントローラー20により電熱ベルト10を制御し、電熱ベルト10は温度が上昇し発熱し、電熱ベルト10は外袋12及び電熱板14により構成し、電熱板14は外袋12内に封鎖して設置し、外袋12は線通過孔124を穿設、導線30一端は線通過孔124を通過し、延伸して外袋12に進入し、電熱板14と相互に接続し、その反対端は外袋12を貫通し、コントローラー20と相互に接続し、これにより電熱ベルト10は温度が上昇し発熱し、外袋12はその背面片122外部に定位部品を設置する。【選択図】図１
2010121244.tif 000002
【特許請求の範囲】
【請求項１】
隨意に接着可能な電熱装置は、電熱ベルト及びコントローラーを備え、
前記電熱ベルトと前記コントローラーとの間は、導線により電気的に連接し、前記コントローラーにより前記電熱ベルトを制御し、前記電熱ベルトは温度が上昇し発熱し、
前記電熱ベルトは外袋及び電熱板により構成し、前記電熱板は前記外袋内に封鎖して設置し、前記外袋は線通過孔を穿設、前記導線一端は前記線通過孔を通過し、延伸して前記外袋に進入し、前記電熱板と相互に接続し、その反対端は前記外袋を貫通し、前記コントローラーと相互に接続し、これにより前記電熱ベルトは温度が上昇し発熱し、
前記外袋はその背面片外部に定位部品を設置し、このようにして前記電熱ベルトは前記定位部品により衣服表面に接着され、簡単に衣服表面から取り外すことができ、これにより使用の利便性を向上させることができることを特徴とする隨意に接着可能な電熱装置。
【請求項２】
請求項１記載の隨意に接着可能な電熱装置において、前記外袋内部では、前記電熱板と前記外袋の内表面との間に断熱層を挟んで設置し、しかも前記断熱層と前記背面片は隣接し、これにより熱エネルギーの散逸を防止し、保温性を向上させることができることを特徴とする隨意に接着可能な電熱装置。
【請求項３】
請求項１記載の隨意に接着可能な電熱装置において、前記定位部品はマジックテープ（登録商標）で、これにより前記電熱ベルトは衣服表面に接着されることを特徴とする隨意に接着可能な電熱装置。
【発明の詳細な説明】
【技術分野】
【０００１】
本発明は人体用防寒用品に関し、特に内部に電熱板を装置する電熱ベルトを各式衣服の表面に接着することができ、電熱板により熱エネルギーを発生し、保温と快適性を高め、しかも電熱ベルトは衣服表面から簡単に取り外すことができ、衣服の洗浄、交換に便利で、これにより使用の利便性を向上させることができる隨意に接着可能な電熱装置に関する。
【背景技術】
【０００２】
異なる季節、気候への適応に対して、衣服は材質(綿、ウール、化繊等)そのものの特性に頼り保温或いは通風の目的を達成している。しかし、様々な外界の環境条件においては、単一の衣服の季節への適用性は大きく制限を受けている。
特に、寒冷な環境では、保温のため、しばしば厚ぼったい防寒服を着なければならないが、寒冷環境中において作業しなければならない人員にとっては、厚くて重い防寒服は行動、作業の不便となっている。
【０００３】
従来の電熱ベストは、内部層に電熱板を設置し、ベストには内面に隠し袋を設置し、これに電池とコントローラーを収容して設置する。
該電熱板は導線により、該電池、該コントローラーと連通し、これにより該電熱板の温度は上昇し発熱する。
このようにして、寒冷な環境において、使用者はこの電熱ベスト等を着用することで、ベストの外に一枚の上着を着るだけで、該電熱板が発生する熱エネルギーにより保温を簡単に達成することができる。
これにより、何枚もの衣服を防寒のために重ね着する必要がなくなり、寒冷な環境下での行動、作業の利便性を向上させることができる。
【０００４】
しかし、該電熱板はベストの内部層中に挟んで固定されるため、該導線はベスト内面の表布を通過しなければ、隠し袋内に収容される該電池、該コントローラー及びベスト内部に挟み固定される該電熱板と連通することはできない。  
また該電熱板をベスト内部から取り外すには、使用者はベストを破壊するしかなく、該導線と該電熱板を分離することは困難である。
そのため、ベストが汚れた時、もし水洗するなら、液体はベスト内部の層状構造に浸透し、内部に残り、完全に乾燥させるのは非常に難しい。
もしベスト内部に水分が残っていれば、該電熱板はショートを起こし易く、その発熱効率にも悪影響を及ぼす。
しかも水洗の過程において、該電熱板を損傷させ易く、該電熱板と該導線との間の電気的連接の信頼性、有効性も、水洗により損害を受ける恐れが高い。
【０００５】
すなわち、従来の電熱ベストは該電熱板をベスト内部に挟み固定するため、ベストの洗浄が非常に困難で、またベストが破損し、使用に堪えなくなった時には、内部に挟む該電熱板も一緒に廃棄しなければならない。
また該電熱板が損壊した時、メンテナンスや交換が容易でなく、発熱・保温の作用が失われてしまう恐れがある。
【発明の開示】
【発明が解決しようとする課題】
【０００６】
本発明の目的は、衣服に接着可能な電熱ベルト及びコントローラーにより構成し、該電熱ベルトにより熱エネルギーを発生し、これにより保温と快適性を高め、しかも該電熱ベルトは衣服の表面から簡単に取り外すことができ、衣服の洗浄、交換に便利で、これにより使用の利便性を向上させることができる隨意に接着可能な電熱装置を提供することである。
【０００７】
隨意に接着可能な電熱装置は電熱ベルト及びコントローラーを備え、該電熱ベルトと該コントローラーとの間は導線により電気的に連接し、該コントローラーにより該電熱ベルトを制御し、該電熱ベルトは温度が上昇し発熱する。
【０００８】
該電熱ベルトは外袋及び電熱板により構成し、該電熱板は該外袋内に封鎖して設置し、該外袋は線通過孔を穿設し、該導線一端は該線通過孔を通過し、延伸して該外袋に進入し、該電熱板と相互に接続し、その反対端は該外袋を貫通し、該コントローラーと相互に接続し、これにより該電熱ベルトは温度が上昇し発熱する。
【０００９】
該外袋はその背面片外部に定位部品を設置し、このようにして該電熱ベルトは該定位部品により衣服表面に接着され、簡単に衣服表面から取り外すことができ、これにより使用の利便性を向上させることができる。
【課題を解決するための手段】
【００１０】
請求項１の発明は、隨意に接着可能な電熱装置は、電熱ベルト及びコントローラーを備え、
前記電熱ベルトと前記コントローラーとの間は、導線により電気的に連接し、前記コントローラーにより前記電熱ベルトを制御し、前記電熱ベルトは温度が上昇し発熱し、
前記電熱ベルトは外袋及び電熱板により構成し、前記電熱板は前記外袋内に封鎖して設置し、前記外袋は線通過孔を穿設し、前記導線一端は前記線通過孔を通過し、延伸して前記外袋に進入し、前記電熱板と相互に接続し、その反対端は前記外袋を貫通し、前記コントローラーと相互に接続し、これにより前記電熱ベルトは温度が上昇し発熱し、
前記外袋はその背面片外部に定位部品を設置し、このようにして前記電熱ベルトは前記定位部品により衣服表面に接着され、簡単に衣服表面から取り外すことができ、これにより使用の利便性を向上させることができることを特徴とする隨意に接着可能な電熱装置としている。
請求項２の発明は、請求項１記載の隨意に接着可能な電熱装置において、前記外袋内部では、前記電熱板と前記外袋の内表面との間に断熱層を挟んで設置し、しかも前記断熱層と前記背面片は隣接し、これにより熱エネルギーの散逸を防止し、保温性を向上させることができることを特徴とする隨意に接着可能な電熱装置としている。
請求項３の発明は、請求項１記載の隨意に接着可能な電熱装置において、前記定位部品はマジックテープ（登録商標）で、これにより前記電熱ベルトは衣服表面に接着されることを特徴とする隨意に接着可能な電熱装置としている。
【発明の効果】
【００１１】
本発明の電熱ベルトは定位部品により衣服表面に接着され、簡単に衣服表面から取り外すことができ、これにより使用の利便性を向上させることができる。
【発明を実施するための最良の形態】
【００１２】
図１に示すように、本発明実施形態による隨意に接着可能な電熱装置の第一実施形態は、電熱ベルト10及びコントローラー20を備える。
該電熱ベルト10と該コントローラー20との間は導線30により電気的に連接し、該コントローラー20は電流を制御し、電流は該電熱ベルト10を通過し、これにより該電熱ベルトは10は温度が上昇し発熱する。
図２に示すように、該電熱ベルト10は外袋12及び電熱板14により構成する。
該外袋12は耐熱性に優れた軟質材料により製造する細長い袋体である。
該電熱板14は軟質の薄型電熱板で、該電熱板14は該外袋12内に封鎖して設置される。
該外袋12は、その背面片122外部に数枚のマジックテープ(登録商標)16を接着して設置する。
該マジックテープ（登録商標）16の数及び大きさは、該外袋12のサイズに応じて変え、該電熱ベルト10は、必要に応じて該マジックテープ（登録商標）16により衣服表面に接着され、簡単に衣服表面から取り外すことができる。
該外袋12には線通過孔124を穿設、該導線30一端は該線通過孔124を通過し、延伸して該外袋12内部に進入し、該電熱板14と相互に接続する。
該導線30反対端は該外袋12を貫通し、該コントローラー20と相互に接続し、これにより該電熱ベルト10は温度が上昇し発熱する。
該外袋12内部には、該電熱板14と該外袋12との内表面の間に、断熱層13を設置する。
しかも該断熱層13は、該外袋12の該マジックテープ（登録商標）16を接着する該背面片122と隣接し、これにより熱エネルギーの外部への散逸を低下させ、保温性を向上させることができる。
【００１３】
本発明の使用時には、該マジックテープ（登録商標）16を利用し、該電熱ベルト10を衣服の内面位置に接着して定位し、次に、該コントローラー20を起動し、電流を該電熱板14に流す。
このようにして該電熱板14は熱エネルギーを発生し、しかも該断熱層13の形成により、熱エネルギーの外部への散逸を防止し、保温と快適性を高めることができる。
衣服が汚れ、交換、洗浄が必要な時には、該電熱ベルト10を衣服表面から簡単に取り外すことができる。
同時に、該電熱ベルト10は該マジックテープ（登録商標）16を利用し、別の衣服に接着して固定することができる。
このようにして、衣服の洗浄が電熱ベルト10の制限を受けることはなくなり、該電熱ベルト10は、各式衣服に接着して定位することができる他に、使用者の個人的なニーズに応じて、該電熱ベルト10の衣服における接着位置を様々に選択可能で、人体の特定部位(腹部、背部等)に対して、局部的に熱エネルギーを提供し、暖かくし、使用の利便性を高めることができる。
【００１４】
本発明実施形態による隨意に接着可能な電熱装置において、第二実施形態は、第一実施形態にいささかの変化を加え搆成する。相同部分については、再記載は行わない。
図３に示すように、本発明第二実施形態の外袋42は、その背面片422に数個のホック46を設置する。
該ホック46の数及び大きさは、該外袋42のサイズに応じて変え、これにより電熱ベルト40は、該ホック46により、衣服表面のホックと嵌合接続する。
このようにして該電熱ベルト40を衣服表面に定位し、簡単に衣服表面から取り外すことができる。
【００１５】
本発明実施形態による隨意に接着可能な電熱装置において、第三実施形態は、第一実施形態にいささかの変化を加え搆成する。相同部分については、再記載は行わない。
図４に示すように、本発明第三実施形態の外袋52は、その背面片522に数個のボタン穴56を開設する。該ボタン穴56の数は、該外袋52のサイズに応じて変える。
電熱ベルト50は、該ボタン穴56と衣服表面のボタンの嵌合により接続され、該電熱ベルト50は衣服表面に定位され、簡単に衣服表面から取り外すことができる。
【図面の簡単な説明】
【００１６】
【図１】本発明実施形態による隨意に接着可能な電熱装置において、第一実施形態を示す立体図である。
【図２】本発明実施形態による隨意に接着可能な電熱装置において、第一実施形態の電熱ベルトを示す径方向断面図である。
【図３】本発明実施形態による隨意に接着可能な電熱装置において、第二実施形態を示す立体図である。
【図４】本発明実施形態による隨意に接着可能な電熱装置において、第三実施形態を示す立体図である。
【符号の説明】
【００１７】
10    電熱ベルト
12    外袋
122    背面片
124    線通過孔
13    断熱層
14    電熱板
16    マジックテープ（登録商標）
20    コントローラー
30    導線
40    電熱ベルト
42    外袋
422    背面片
46    ホック
50    電熱ベルト
52    外袋
522    背面片
56    ボタン穴
【図１】
2010121244.tif 000003
【図２】
2010121244.tif 000004
【図３】
2010121244.tif 000005
【図４】
2010121244.tif 000006